(57)【要約】この発明による描画ツールは、図形部品ウィンドウから所望の図形部品を選択し、当該図形部品をドラッグし描画キャンパス上へ移動する経路上で、当該図形部品に対し付与される属性を表示する属性パレット上の所望の属性表示部上を通過することのみにより、保持された属性を備えた図形部品を描画するものであり、描画キャンパス上に描画される図形部品の属性を描画キャンパスへドラッグアンドドロップする経路上で所望の属性を表示する属性表示部上を通過するのみで属性を選択・設定でき、少ない操作量で描画を行うことを可能としたものである。
2004079662.tif 000002
【特許請求の範囲】
【請求項１】
図形部品を描画する描画キャンパスと、
描画対象候補の複数の図形部品を表示する図形部品ウィンドウと、
この図形部品ウィンドウから選択した所望の図形部品をドラッグアンドドロップするポインティングデバイスと、
前記選択した図形部品に対し選択的に付与される属性を表示する複数の属性表示部を有する属性パレットと、
前記選択した図形部品を前記ポインティングデバイスにより前記描画キャンパスへドラッグアンドドロップする経路上、前記ポインティングデバイスが通過した前記属性パレット上の属性表示部を検出する属性検出手段と、
前記検出された属性表示部に対応して選択的に定まる属性を保持する属性保持手段と、
前記選択した図形部品を前記描画キャンパス上へドロップすることにより前記保持された属性を備えた図形部品を描画する描画手段と
を備えたことを特徴とする描画ツール。
【請求項２】
描画キャンパス面内の周縁部に図形部品ウィンドウを設け、前記描画キャンパス面内における前記図形部品ウィンドウより内側に属性パレットを設けたことを特徴とする請求項第１項記載の描画ツール。
【請求項３】
描画対象候補の複数の図形部品を表示する図形部品ウィンドウから所望の図形部品を選択するステップと、
前記選択された図形部品をポインティングデバイスによりドラッグし描画キャンパス上の描画すべき位置へ移動する経路上で、前記選択された図形部品に対し選択的に付与される属性を表示する複数の属性表示部を有する属性パレット上の所望の属性表示部上を通過することのみにより前記所望の属性表示部を検出し、前記検出された属性表示部に対応して選択的に定まる属性を保持するステップと、
前記選択された図形部品を前記描画キャンパス上の描画すべき位置へ移動しドロップすることにより前記保持された属性を備えた図形部品を描画するステップとを備えたことを特徴とする描画方法。
【発明の詳細な説明】
【技術分野】  この発明は、図形部品をポインティングデバイスによりキャンパス上にドラッグアンドドロップすることによって描画する描画ツールおよび描画方法に関するものである。
【背景技術】  従来の一般的な描画ツールは、ユーザーが図形部品を選択する図形部品ウィンドウと選択した図形部品をドラッグアンドドロップして描画するキャンパスと描画された図形部品の属性を変更するパレットとを含む構成となっている。パレットの数は図形部品が持つ変更可能な属性の数となる。従来の描画ツールの一例として、特開平１０−２１３７７号公報に示されるものがある。
従来の描画ツールでは、マウスにより図形部品ウィンドウで図形部品を一つ選択し、選択した図形部品をマウスのドラッグアンドドロップ操作により、キャンパスの所望の位置に配置する。通常、配置された図形部品の属性は、予め標準設定として決められているもの、或いは前回の操作時に選択され記憶されていたものとなる。例えば、前回、カラーパレットで赤色が選択され、線の太さパレットで太い線が選択された状態で、マウスにより図形部品ウィンドウで四角形の図形部品を選択し、キャンパスにマウスでドラッグアンドドロップした場合、塗りつぶし色は赤色で境界線が太い線の四角形がキャンパス上に描画される。
属性変更が必要な場合には、属性を変更したい図形部品をマウスで選択し、図形が選択された状態で、必要に応じてカラーパレットで塗りつぶし色を選択し、線の太さパレットで境界線の太さを選択するというように、各々の属性に対応するパレットの選択操作により行う。例えば、塗りつぶし色が赤色で境界線が太い線で描画されたキャンパス上の四角形の塗りつぶし色を黄色に、境界線を細い線に変更する場合、まずマウスでキャンパス上の四角形を選択し、その状態でカラーパレットで黄色を選択し、続いて線の太さパレットで細い線を選択するという操作を行う必要がある。
通常の描画ツールではこれら一連の動作を繰り返すことにより、キャンパス上に図形を描画していく。すなわち従来の描画ツールでは、図形の位置を決定するドラッグアンドドロップ操作とその図形がどのように描かれるかを決定するパレット選択操作とが分かれている。
従来の描画ツールでは上述のように、図形部品をマウスで選択し、ドラッグアンドドロップ操作によりキャンパスに一旦配置した後、改めて属性を変更する、という動作の繰り返しにより描画を行っていた。このため従来は、１つの図形部品を描画するために、所望の図形部品の選択とその位置決定の為のドラッグアンドドロップ操作と、変更する属性数分のパレットに対する複数回の選択操作とが必要であり、操作が非常に煩わしいという問題点があった。
そこで、この発明は、上述のような問題点を解決するためになされたものであり、属性の選択，決定の操作を簡素化した描画ツールおよび描画方法を提供することを目的とするものである。
【発明の開示】
この発明は、図形部品を描画する描画キャンパスと、描画対象候補の複数の図形部品を表示する図形部品ウィンドウと、この図形部品ウィンドウから選択した所望の図形部品をドラッグアンドドロップするポインティングデバイスと、前記選択した図形部品に対し選択的に付与される属性を表示する複数の属性表示部を有する属性パレットと、前記選択した図形部品を前記ポインティングデバイスにより前記描画キャンパスへドラッグアンドドロップする経路上、前記ポインティングデバイスが通過した前記属性パレット上の属性表示部を検出する属性検出手段と、前記検出された属性表示部に対応して選択的に定まる属性を保持する属性保持手段と、前記選択した図形部品を前記描画キャンパス上へドロップすることにより前記保持された属性を備えた図形部品を描画する描画手段とを備えた描画ツールを提供するものである。
したがって、描画キャンパス上に描画される図形部品の属性を描画キャンパスへドラッグアンドドロップする経路上で、所望の属性を表示する属性表示部上を通過するのみで属性を選択・設定できるので、少ない操作量で描画が行える。すなわち図形部品ウィンドウから図形部品をキャンパス上へドラッグアンドドロップするという一つの操作で、図形部品がキャンパス上で描画される位置を決定すると同時に、描かれる属性を選択，決定することができるものである。
また、この発明は、描画キャンパス面内の周縁部に図形部品ウィンドウを設け、前記描画キャンパス面内における前記図形部品ウィンドウより内側に属性パレットを設けた描画ツールを提供するものである。
したがって、図形部品ウィンドウから図形部品をキャンパス上へドラッグアンドドロップする経路上、短い移動距離で属性を選択，決定することができるものである。
また、この発明は、描画対象候補の複数の図形部品を表示する図形部品ウィンドウから所望の図形部品を選択するステップと、前記選択された図形部品をポインティングデバイスによりドラッグし描画キャンパス上の描画すべき位置へ移動する経路上で、前記選択された図形部品に対し選択的に付与される属性を表示する複数の属性表示部を有する属性パレット上の所望の属性表示部上を通過することのみにより前記所望の属性表示部を検出し、前記検出された属性表示部に対応して選択的に定まる属性を保持するステップと、前記選択された図形部品を前記描画キャンパス上の描画すべき位置へ移動しドロップすることにより前記保持された属性を備えた図形部品を描画するステップとを備えた描画方法を提供するものである。
したがって、描画キャンパス上に描画される図形部品の属性を描画キャンパスへドラッグアンドドロップする経路上で、所望の属性を表示する属性表示部上を通過するのみで属性を選択・設定できるので、少ない操作量で描画が行える。すなわち図形部品ウィンドウから図形部品をキャンパス上へドラッグアンドドロップするという一つの操作で、図形部品がキャンパス上で描画される位置を決定すると同時に、描かれる属性を選択，決定することができるものである。
【図面の簡単な説明】  第１図は、この発明による描画ツールのシステム構成図である。
第２図は、この発明による描画ツールの回路構成図である。
第３図は、この発明による描画ツールの動作を示すフローチャートである。
第４図は、この発明による描画ツールにおいて、図形部品を図形部品ウィンドウからキャンパスにドラッグアンドドロップする際に、記憶部の図形部品属性一時格納部に当該図形部品の属性が格納される様子を示す図である。
第５図は、この発明による描画ツールにおいて、キャンパス上に配置された図形部品をドラッグアンドドロップする際に、記憶部の図形部品属性一時格納部に当該図形部品の属性が格納される様子を示す図である。
第６図は、この発明による描画ツールの記憶部の図形部品属性格納部にキャンパス上に描画された図形部品の属性が格納される様子を示す図である。
第７図は、この発明による描画ツールの記憶部のパレット内進入フラグにマウスのポインタが属性パレット内に進入しているかどうかの情報が格納される様子を示す図である。
第８図は、この発明による描画ツールの属性パレットにマウスのポインタが通過する様子を説明する図である。
【発明を実施するための最良の形態】実施の形態１．
この発明の好適な実施の形態を、図を用いて説明する。第１図はこの発明の第一の実施の形態による描画ツール１の概略構成図、第２図は第１図に示した描画ツール１の回路ブロック図である。第１図，第２図で示すように、この実施の形態の描画ツール１は、マウス７ａ等のポインティングデバイスである入力装置７と、ＣＲＴ等の表示装置８と、描画ツールでデータの処理を行なうデータ処理部９と、データ処理の演算に用いる記憶部１０とを備える。
データ処理部９は、ユーザーがマウス７ａにより図形部品４を図形部品ウィンドウ３から描画キャンパス（以下適宜、「キャンパス」と記す）２へ向けてドラッグアンドドロップを開始したときに、図形部品の属性情報を後述する図形部品属性一時格納部１０ｃに格納する属性情報作成手段９ａと、マウス７ａのポインタが属性パレット（以下適宜、「パレット」と記す）５上にあるか否かを判定するパレット内進入判定手段９ｂと、図形がパレット５上を通過した際に図形の属性情報を更新する属性情報更新手段９ｃと、図形部品４がパレット５以外のキャンパス２上にドラッグアンドドロップされた時点で、図形部品４をキャンパス２上に描画する図形部品描画手段９ｄとから構成される。また、記憶部１０は、マウス７ａのポインタがパレット５上にあるかどうかを保持するパレット内進入フラグ１０ａと、キャンパス２上に描画された全図形の属性情報を保持する図形部品属性格納部１０ｂと、図形部品４をドラッグする操作の過程でマウス７ａのポインタがパレット上を通過した際に通過したパレット５上の属性を保持するために一時的に使用される図形部品属性一時格納部１０ｃとから構成される。
この実施の形態の描画ツールの全体動作を、第３図に示すフローチャートを用いて説明する。第３図は、ユーザーが図形部品ウィンドウ３で図形部品４を選択し、パレット５を通過して、キャンパス２へドラッグアンドドロップする場合のフローチャートである。
なお、この実施の形態においては、選択できる属性として、色と境界線の太さとの２項目とした場合について説明する。
ユーザーが図形部品４を選び、当該図形部品４を図形部品ウィンドウ３からドラッグ操作によって移動した場合、属性情報作成処理ステップＳＴ１００において、属性情報作成手段９ａにより、図形部品属性一時格納部１０ｃにその図形に関する情報が格納される。図形部品属性一時格納部１０ｃは第４図，第５図に示すようにＩＤ，形，位置，サイズ，塗りつぶし色，境界線の太さからなる。ＩＤは図形に一意に付けられる数字である。形は図形部品４がキャンパス２上で描画される形であり、位置は図形部品４がキャンパス２上で描画される座標である。また、サイズは、四角形及び三角形の場合、一辺の長さを表し、円の場合は直径を表す。塗りつぶし色は図形部品４がキャンパス２上で描画される際の図形の内側の色を表し、境界線の太さは図形部品４がキャンパス２上で描画される図形の境界線の太さを表す。
図形部品ウィンドウ３から図形部品４をキャンパス２上にドラッグアンドドロップした場合に描かれるサイズは予め図形の種類毎に決められており、例えば四角形の場合は２０である。
属性情報作成処理ステップＳＴ１００で属性情報作成手段９ａが作成し格納するのは、ＩＤ，サイズ，形，塗りつぶし色，境界線の太さであり、位置は格納しない。
新たにドラッグされた図形部品４の図形部品属性に付加するＩＤは、第６図に示すキャンパス上の図形部品属性格納部１０ｂに既に格納されているＩＤの最大値＋１とする。塗りつぶし色，境界線の太さは、ドラッグ操作を行った時点でそれぞれのパレット５上で選択されているものが格納される。
第４図は、カラーパレット５ａ，線の太さパレット５ｂでそれぞれ、「黄色」，「細い」が選択されている場合に図形部品４を選択し、キャンパス２へドラッグアンドドロップするときに、図形部品属性が図形部品属性一時格納部１０ｃに格納される様子を示した例である。また、この場合、既に描画されている図形部品のＩＤの最大値は第６図より７であるから、この新たな部品のＩＤは８（＝７＋１）となる。第４図において、位置の欄には具体的データは未だ格納されない。
次にパレット内進入判定処理ステップＳＴ１０１において、パレット内進入判定手段９ｂにより、マウス７ａのポインタがいずれかのパレット５の座標内に進入したか否かが判定される。判定結果はパレット内進入判定処理ステップＳＴ１０１により第７図に示すパレット内進入フラグ１０ａに格納される。パレット内進入フラグ１０ａの値は、マウス７ａのポインタがパレット５上にある場合は１、ない場合は０が格納される。この第７図は１が格納されているので、マウス７ａのポインタがパレット５上にある場合を示している。
したがって、当初、ユーザーが図形部品４を図形部品ウィンドウ３からドラッグを開始した時点ではパレット内進入フラグ１０ａの値は０である。
パレット内進入判定処理ステップＳＴ１０１でマウス７ａのポインタがパレット座標内に進入したかどうかの判定処理は、マウス７ａのｘ座標，ｙ座標が、パレットのｘ座標，ｙ座標の範囲内にあるかどうかを判断することによって行う。例えば、第８図に示すように、マウス７ａのポインタが描画ツール上の座標で、ｘ座標＝８００，ｙ座標＝４００にある場合（第８図中のポイントＡ）、カラーパレット５ａの座標がｘ座標＝６００〜７００，ｙ座標＝２００〜５００であるとする。マウス７ａのポインタのｙ座標をカラーパレット５のｙ座標と比較すると、マウス７ａのポインタのｙ座標はカラーパレット５のｙ座標の範囲内に入っているが、マウス７ａのポインタのｘ座標はカラーパレット５のｘ座標の範囲内に入っていない。
ステップＳＴ１０２に示すように、マウス７ａのポインタのｘ座標，ｙ座標のいずれかもしくは両方が、パレット５のｘ座標，ｙ座標の範囲に入っていない場合、マウス７ａのポインタはパレット座標内に進入していないと判定し、パレット内進入フラグの値は０とする。マウス７ａのポインタのｘ座標，ｙ座標の両方が、パレットのｘ座標，ｙ座標の範囲に入っている場合は、マウス７ａのポインタがパレット座標内に進入したと判定し、パレット内進入フラグの値を１とする。
マウス７ａのポインタがパレット５上にない場合、すなわちパレット内進入フラグ１０ａの値が０の場合、図形がドロップされるまで、すなわちステップＳＴ１０４においてドロップが認識されるまで、パレット内判定処理ステップＳＴ１０１が行われる。
マウス７ａのポインタがカラーパレット５ａの座標内に進入した場合、すなわちパレット内進入フラグ１０ａが１の場合、属性情報更新処理ステップＳＴ１０３が行われる。属性情報更新処理ステップＳＴ１０３では、属性情報更新手段９ｃが、マウス７ａのポインタがパレット５内を通過した座標により、図形部品４がキャンパス２にドロップされたときにどのように描かれるかという情報を更新する。
第８図に示すように、例えば、マウス７ａのポインタがカラーパレット５ａの属性表示部のうち、属性「赤」に対応する部分に進入した場合、パレット内進入判定処理ステップＳＴ１０１により、パレット内進入フラグ１０ａに１が格納され、図形部品属性一時格納部１０ｃの塗りつぶし色を「黄」から「赤」に更新する。
この後、マウス７ａのポインタがカラーパレット５ａの属性表示部の「赤」以外を通過せず、カラーパレット５ａから外に出た場合は、パレット内進入判定処理ステップＳＴ１０１により、パレット内進入フラグ１０ａに０が格納される。
仮にマウス７ａのポインタがカラーパレット５ａの「赤」の部分を一旦通過した後に、「青」の部分を通過して、カラーパレット５ａから外に出た場合は、図形部品属性一時格納部１０ｃの塗りつぶし色はステップＳＴ１０３により「赤」から「青」に更新される。第８図ではマウス７ａのポインタがカラーパレット５の「赤」のみを通過した例を示している。
この後、マウス７ａのポインタが線の太さパレット５ｂの座標内に進入した場合、パレット内進入フラグ１０ａはステップＳＴ１０１により１となり、属性情報更新処理ステップＳＴ１０３が行われる。例えば、第８図に示すようにマウス７ａのポインタが線の太さパレット５ｂの座標内に進入した場合、マウス７ａのポインタは線の太さパレット５ｂの属性表示部のうち、属性「普通」に対応する部分に進入しているため、図形部品属性一時格納部１０ｃの塗りつぶし色はステップＳＴ１０３により「細い」から「普通」に更新される。
この後、仮にマウス７ａのポインタが線の太さパレット５ｂの属性表示部の「普通」以外の部分を通過せず、線の太さパレット５ｂから外に出た場合は、パレット内進入判定処理ステップＳＴ１０１により、パレット内進入フラグ１０ａに０が格納され、ドラッグ中の図形部品４がドロップされるか再度パレット５内に進入しない限り、ステップＳＴ１０１，ステップＳＴ１０２，ステップＳＴ１０４の処理を繰り返すことになる。
ユーザーが図形部品４をカラーパレット５ａ上の「赤」及び、線の太さパレット５ｂの「普通」を通過させ、キャンパス２にドロップした場合は、図形部品描画処理ステップＳＴ１０５が行われる。
図形部品描画処理ステップＳＴ１０５では、図形部品描画手段９ｄにより、図形部品４がキャンパス２上にドロップされた時点のマウス７ａのポインタの座標が図形部品属性一時格納部１０ｃに書き込まれ、図形部品属性一時格納部１０ｃの情報に基づいて、キャンパス２上に図形が描画される。描画後、図形部品描画手段９ｄは図形部品属性一時格納部１０ｃの内容を図形部品属性格納部１０ｂに追加する。
以上でユーザーが図形部品ウィンドウ３で図形部品４を選択し、パレット５上を通過して、キャンパス２へドラッグアンドドロップする場合の処理の流れを説明したが、パレット５内を通過しない場合は、次のようになる。
パレット５を通過する場合と同様、ユーザーが図形部品４を図形部品ウィンドウ３からドラッグ操作により移動した場合、図形部品属性一時格納部１０ｃにその図形に関する情報が格納される。
パレット内進入判定処理ステップＳＴ１０１により、マウス７ａのポインタがパレット５の座標内に進入したかどうかが判定されるが、この場合マウス７ａのポインタがパレット５上を通過しないため、パレット内進入フラグ１０ａの値は０である。
この時点での図形部品属性一時格納部１０ｃに格納されているのは、ＩＤ，形，サイズ，塗りつぶし色，境界線の太さであり、位置は格納されていない。この場合、塗りつぶし色，境界線の太さは、予め標準設定として決められているもの、或いは前回の操作時に選択され記憶されていたものとなる。
ステップＳＴ１０４で図形がドロップされたときには図形部品描画処理ステップＳＴ１０５が行われる。ドロップされた時点のマウス７ａのポインタ位置を図形部品属性一時格納部１０ｃに書込み、図形部品属性一時格納部１０ｃの情報に基づいて、キャンパス２上に図形を描画する。描画後、図形部品属性一時格納部１０ｃの内容を図形部品属性格納部１０ｂに追加する。
次に既にキャンパス２上に配置された図形部品４の属性を変更する場合の処理の流れを述べる。
例として、第６図に示される図形部品属性格納部１０ｂのＩＤが１の図形、すなわち塗りつぶし色が「赤」で境界線の太さが「太い」四角形の図形部品の属性を変更する場合の処理の流れを示す。この四角形は一辺の長さが５０で、ｘ座標＝１００，ｙ座標＝５００の位置に描画されているとする。
ユーザーがキャンパス２上に配置されたＩＤが１の図形をドラッグ操作により移動する場合、属性情報作成処理ステップＳＴ１００において、属性情報作成手段９ａにより、その図形に関する情報すなわち図形部品属性格納部１０ｂのＩＤが１の図形部品の情報が、図形部品属性一時格納部１０ｃにコピーされる。すなわち図形部品４が図形部品ウィンドウ３からドラッグされる場合と違い、第５図に示すように図形部品属性一時格納部１０ｃのＩＤ，形，サイズ，塗りつぶし色，境界線の太さは、既に図形部品属性格納部１０ｂに格納されているＩＤ，形，サイズ，塗りつぶし色，境界線の太さとなる。位置については格納しない。
パレット内進入処理判定処理ステップＳＴ１０１により、既に描画された図形部品４をユーザーがドラッグしている際のマウス７ａのポインタが、パレット５の座標内に進入したか否かが判定される。ユーザーが図形部品４をキャンパス２上からドラッグを開始した時点ではパレット内進入フラグ１０ａの値は０である。
マウス７ａのポインタがパレット５上にない場合、すなわちパレット内進入フラグ１０ａの値が０の場合、ステップＳＴ１０２，ステップＳＴ１０４により図形がドロップされるまでパレット内進入判定処理ステップＳＴ１０１が行われる。
例えば、マウス７ａのポインタがカラーパレット５ａの座標内に進入した場合、すなわちパレット内進入フラグ１０ａが１の場合、図形部品４を図形部品ウィンドウ３からキャンパス２上にドラッグアンドドロップする場合と同様に、属性情報更新処理ステップＳＴ１０３が行われる。
例えばマウス７ａのポインタがカラーパレット５ａ内の「青」部分に進入したとすると、図形部品属性一時格納部１０ｃの塗りつぶし色は「赤」から「青」に更新される。この後、仮にマウス７ａのポインタがカラーパレット５ａの「青」以外の部分を通過せず、カラーパレット５ａから外に出た場合は、パレット内進入判定処理ステップＳＴ１０１により、パレット内進入フラグ＝０となり、ドロップされるか再度パレット内に進入しない限り、ステップＳＴ１０１，ステップＳＴ１０２，ステップＳＴ１０４の処理を繰り返すことになる。
ユーザーが図形部品４をカラーパレット５ａ上の「青」部分を通過させた後、キャンパス２にドロップした場合は、図形部品描画処理ステップＳＴ１０５が行われる。
図形部品描画処理ステップＳＴ１０５では、ドロップされた時点のマウス７ａのポインタ位置を図形部品属性一時格納部１０ｃに書込み、図形部品属性一時格納部１０ｃの情報に基づいて、キャンパス２上に図形を描画する。描画後、図形部品属性一時格納部１０ｃの内容を図形部品属性一時格納部１０ｃのＩＤと等しいＩＤを持つ図形部品属性格納部１０ｂの行に上書きする。この例の場合、図形部品属性一時格納部１０ｃのＩＤは１であるため、図形部品属性一時格納部１０ｃの内容を図形部品属性格納部１０ｂのＩＤが１の行に上書きする。
ところで上述の説明では、四角形や丸形などの単純な図形が塗りつぶし色，境界線の色という２つの属性を持つ場合について述べたが、属性を持つ図形ならば、その図形及びそれに対する属性の種類は特に制限されるものでなく、あらゆる種類の描画ツールに利用できることは言うまでもない。また、図形部品として、四角形や丸形などのいわゆる「図形」のみではなく、文字等も対象として扱えることは言うまでもない。例えば、図形部品として文字を扱う場合、パレットとしてフォントの種類，フォントサイズ，下線，太字，斜体などの属性を一回のドラッグアンドドロップ操作で設定することが可能である。
以上のようにこの発明によれば、図形部品ウィンドウで図形部品を選択し、描画キャンパス上へドラッグアンドドロップする際に、パレット上の所望の属性を通過させることで、描画キャンパス上に描画される図形部品の属性を選択，決定できる手段を設けたので、少ない操作量で描画が行える。すなわち図形部品ウィンドウから図形部品をキャンパス上へドラッグアンドドロップするという一つの操作で、図形部品がキャンパス上で描画される位置を決定すると同時に、描かれる属性を選択，決定できるのである。
【産業上の利用可能性】  以上のように、この発明にかかる描画ツールおよび描画方法は、ひとつの図形部品に対して多数の項目の属性を選択する必要があるような描画を行う場合等において用いられるのに適している。
【図１】
2004079662.tif 000003
【図２】
2004079662.tif 000004
【図３】
2004079662.tif 000005
【図４】
2004079662.tif 000006
【図５】
2004079662.tif 000007
【図６】
2004079662.tif 000008
【図７】
2004079662.tif 000009
【図８】
2004079662.tif 000010
【国際調査報告】
2004079662.tif 000011
2004079662.tif 000012